(57)【特許請求の範囲】
【請求項１】
フレームに形成された中空な受け部の片側に第１の支持部を、他方側に第２の支持部を対向して備え、第１の支持部と第２の支持部の間に形成された溝状の開口を通じて受け部内に挿入される樹脂パネルが、パッキンを介してフレームに取り付けられる引戸における樹脂パネルの取付構造であって、第２の支持部の断面幅が第１の支持部の断面幅より長く、かつ第２の支持部においてパッキンに接触する部分が、受け部内で第１の支持部に向かって斜めに折れ曲がって突出し、樹脂パネルが膨張する場合に樹脂パネルを第２の支持部側に反らせることを特徴とする引戸における樹脂パネルの取付構造。
【請求項２】
受け部において樹脂パネルの端部に略対向する対向面部に、第１の支持部に向かって斜めに傾斜する傾斜面を有する誘導部が配設され、樹脂パネルの端部を誘導部の傾斜面で誘導しながら樹脂パネルを膨張させ、樹脂パネルを第２の支持部側に反らせる請求項１記載の引戸における樹脂パネルの取付構造。
【請求項３】
受け部内に挿入される樹脂パネルの端縁部の表面が、樹脂パネル端縁部の裏面と第２の支持部の間に圧入されるパッキンにより第１の支持部に当接し、樹脂パネルの端縁部が、パッキンを介して第１の支持部と第２の支持部の間に挟持される請求項１または２記載の引戸における樹脂パネルの取付構造。
【発明の詳細な説明】
【技術分野】
【０００１】
本願発明は、各種キャビネットの前面部に設けられる引戸において樹脂パネルをフレームに取り付けるための構造に関する。
【背景技術】
【０００２】
図３に示したカップボード１１をはじめとする各種キャビネットには、前面部に引戸１２が設けられたものがあり、引戸１２の左右方向のスライドにより前面部を開閉し、収納物の取り出し、収納を可能にしている。
【０００３】
引戸１２において前後に配置される扉１３は、一般に、中空なフレームを矩形に組み上げて形成されたフレーム体１４の内側に矩形のパネル１５が取り付けられて形成される。パネル１５には、キャビネットの内部を視認できるように、透明または半透明な樹脂パネルが採用され始めている。
【０００４】
図４は、引戸における樹脂パネルの取付構造を例示した要部断面図である。
【０００５】
フレーム１４ａは、樹脂パネル１５ａの端縁部が挿入される受け部１６を有している。受け部１６は中空であり、片側に第１の支持部１７を、他方側に第２の支持部１８を備えている。第１の支持部１７および第２の支持部１８は、ともに断面略Ｌ字型の形状を有し、対向配置され、両者間に溝状の開口１９を形成している。
【０００６】
樹脂パネル１５ａをフレーム１４ａに取り付ける際には、樹脂パネル１５ａの端縁部を、開口１９を通じて受け部１６内に挿入する。次いで、開口１９から受け部１６内にゴムなどから形成されるパッキン２０を圧入し、樹脂パネル１５ａの端縁部を第１の支持部１７に向けて押圧する。こうして、樹脂パネル１５ａは、パッキン２０を介してフレーム１４ａに取り付けられる。
【０００７】
ところで、樹脂パネル１５ａは環境温度などによって膨張することがある。この場合、図５に要部を拡大して示したように、樹脂パネル１５ａは長さ方向ｘに膨張するが、樹脂パネル１５ａの取付けのために設けられたパッキン２０が樹脂パネル１５ａの端縁部を押圧する力ｆの向きは第１の支持部１７側であり、力ｆは樹脂パネル１５ａを矢印ｙ方向に反らせるように作用する。このようにして樹脂パネル１５ａに生じる反りにより、図３に示した前後に配置される扉１３が接触することがあり、扉１３の開け閉めに支障をきたすことがあった。
【０００８】
特許文献１には、スチールプレートを折り曲げて形成したスチールパッキンをパネルの端縁部に嵌め、サッシ枠体に形成されたパネル嵌入用の凹状溝にパネルの端縁部を嵌入する構造が記載されている。
【０００９】
だが、特許文献１では、上記の樹脂パネル１５ａの反りについて考慮されていなく、引戸１２における前後の扉１３の接触の解消は示唆されない。
【特許文献１】実用新案登録第３０８７０７１号
【発明の開示】
【発明が解決しようとする課題】
【００１０】
本願発明は、以上の通りの事情に鑑みてなされたものであり、環境温度の上昇などにより樹脂パネルに膨張が発生しても、引戸において前後に配置される扉の接触を解消することのできる引戸における樹脂パネルの取付構造を提供することを課題としている。
【課題を解決するための手段】
【００１１】
本願発明は、上記の課題を解決するために、第１に、フレームに形成された中空な受け部の片側に第１の支持部を、他方側に第２の支持部を対向して備え、第１の支持部と第２の支持部の間に形成された溝状の開口を通じて受け部内に挿入される樹脂パネルが、パッキンを介してフレームに取り付けられる引戸における樹脂パネルの取付構造であって、第２の支持部の断面幅が第１の支持部の断面幅より長く、かつ第２の支持部においてパッキンに接触する部分が、受け部内で第１の支持部に向かって斜めに折れ曲がって突出し、樹脂パネルが膨張する場合に樹脂パネルを第２の支持部側に反らせることを特徴としている。
【００１２】
本願発明は、第２に、受け部において樹脂パネルの端部に略対向する対向面部に、第１の支持部に向かって斜めに傾斜する傾斜面を有する誘導部が配設され、樹脂パネルの端部を誘導部の傾斜面で誘導しながら樹脂パネルを膨張させ、樹脂パネルを第２の支持部側に反らせることを特徴としている。
【００１３】
本願発明は、第３に、受け部内に挿入される樹脂パネルの端縁部の表面が、樹脂パネル端縁部の裏面と第２の支持部の間に圧入されるパッキンにより第１の支持部に当接し、樹脂パネルの端縁部が、パッキンを介して第１の支持部と第２の支持部の間に挟持されることを特徴としている。
【発明の効果】
【００１４】
本願の第１の発明によれば、フレームに形成された中空の受け部に対向して備えた第１の支持部と第２の支持部において、第２の支持部の断面幅が第１の支持部の断面幅より長く、かつ第２の支持部においてパッキンに接触する部分が、受け部内で第１の支持部に向かって斜めに折れ曲がって突出しているため、樹脂パネルの端縁部にパッキンより加えられる力は、樹脂パネルを断面幅の長い第２の支持部側に反らせるように作用する。その結果、樹脂パネルは断面幅の短い第１の支持部側に反ることはなく、断面幅の長い第２の支持部側に反りが生ずる。断面幅の長い第２の支持部によって前後の扉間の間隔に余裕を持たせることができるため、樹脂パネルが反っても、前後の扉が接触することはない。
【００１５】
本願の第２の発明によれば、樹脂パネルは、端部が誘導部の傾斜面に誘導されて膨張するため、膨張時に樹脂パネルはより第２の支持部側に反りやすくなる。
【００１６】
本願の第３の発明によれば、第１の支持部をキャビネットの外側に向けて配置する場合、樹脂パネルが透明なものであっても、樹脂パネルの取付けに用いられるパッキンが外から目立ちにくくなり、外観が良好となる。
【発明を実施するための最良の形態】
【００１７】
図１は、本願発明の引戸における樹脂パネルの取付構造の一実施形態を示した要部拡大断面図である。
【００１８】
フレーム１は中空な部材であり、矩形に組み上げることにより引戸の扉のフレーム体を形成する。材質は特に制限されず、広く用いられているアルミニウムなどとすることができ、押出成形などによって容易に成形することができる。
【００１９】
矩形のフレーム体において内縁部に位置する部位には、中空の受け部２が形成されている。受け部２は、フレーム体の内側に取り付けられる樹脂パネル３の端縁部が挿入される部位であり、片側に第１の支持部４を、他方側に第２の支持部５を対向して備えている。第２の支持部５の断面幅ｗは第１の支持部４の断面幅Ｗより長くなっている（ｗ＞Ｗ）。また、第２の支持部５の先端部は、受け部２内において第１の支持部４に向かって斜めに折れ曲がり、突出し、折れ曲がり突出部５ａとされている。第１の支持部４は、断面略Ｌ字型の形状を有し、先端部は内向きの突出端部４ａとされている。このような第１の支持部４と第２の支持部５の間に溝状の開口６が形成されている。
【００２０】
樹脂パネル３は、フレーム１により組み上げられる矩形のフレーム体の内側に収まる矩形の板体とされている。樹脂パネル３の採用により、扉を軽量なものとすることができ、引戸としての操作性を良好にする。材質については特に制限されず、アクリル樹脂などの一般的な樹脂を採用することができる。キャビネットの内部を視認可能にし、ディスプレイ機能を持たせるためには、樹脂は透明または半透明なものであることが好ましい。
【００２１】
樹脂パネル３をフレーム１に取り付ける際には、樹脂パネル３の端縁部を、開口６を通じて受け部２内に挿入する。この状態において、ゴムなどの弾力性を有するパッキン７を、開口６を通じて樹脂パネル３の端縁部の裏面と第２の支持部５の間に圧入する。パッキン７は、特に、第２の支持部５の折れ曲がり突出部５ａにおいて押し縮められるため、パッキン７は、大きな弾性力で樹脂パネル３を第１の支持部４側に押圧する。その結果、樹脂パネル３の端縁部の表面が第１の支持部４の突出端部４ａに当接する。こうして、樹脂パネル３の端縁部は、パッキン７を介して第１の支持部４と第２の支持部５の間に挟持され、樹脂パネル３はフレーム１に取り付けられる。
【００２２】
樹脂パネル３は、上記の通りの利点を有する一方で、環境温度の上昇などにともなって膨張が生じることがある。しかしながら、図１に示した実施形態では、第２の支持部５の先端部に受け部２内において第１の支持部４に向かって斜めに折れ曲がって突出する折れ曲がり突出部５ａが配設されているため、図２に示したように、樹脂パネル３は長さ方向ｘに膨張しても、パッキン７が樹脂パネル３の端縁部を押圧する力ｆは、樹脂パネル３を第２の支持部５側に反らせるように作用する。その結果、膨張する樹脂パネル３に発生する反りの方向ｚは第２の支持部５側となる。
【００２３】
したがって、樹脂パネル３に反りが発生したとしても、樹脂パネル３は断面幅の短い第１の支持部４側に反ることはなく、断面幅の長い第２の支持部５側に反る。断面幅の長い第２の支持部５によって前後の扉間の間隔に余裕を持たせることができるため、樹脂パネル３が反っても、前後の扉が接触することはない。引戸において前後に配置される扉の接触を解消することができる。
【００２４】
また、図１に示した実施形態では、上記の通り、パッキン７は、樹脂パネル３の端縁部の裏面と第２の支持部５の間に圧入され、樹脂パネル３の端縁部の表面を第１の支持部４の突出端部４ａに当接させるため、第１の支持部４がキャビネットの外側に向けて配置される場合、樹脂パネル３が透明なものであっても、パッキン７は外から目立ちにくくなり、外観が良好となる。
【００２５】
さらに、図１に示した実施形態では、受け部２において樹脂パネル３の端部に略対向する対向面部２ａに誘導部８が配設されている。誘導部８は、断面略台形状の形状を有し、第１の支持部４に向かって斜めに傾斜する傾斜面８ａを有している。このため、図２に示したように、樹脂パネル３が長さ方向ｘに膨張する場合、誘導部８の傾斜面８ａが樹脂パネル３の端部を誘導し、樹脂パネル３の第２の支持部５側への反りをより起こりやすくしている。
【００２６】
なお、図１および図２に示した樹脂パネル３の取付構造は、図３に示したようなフレーム体１４において下側に配置されるフレームについてのものであるが、図１および図２に示した樹脂パネル３の取付構造は、フレーム体１４の上側に配置されるフレームにも等しく適用される。
【図面の簡単な説明】
【００２７】
【図１】本願発明の引戸における樹脂パネルの取付構造の一実施形態を示した要部拡大断面図である。
【図２】図１に示した実施形態において、樹脂パネルが膨張する場合の反りの発生について示した要部拡大断面図である。
【図３】キャビネットの一例としてカップボードを示した斜視図である。
【図４】本願発明前の引戸における樹脂パネルの取付構造を示した要部断面図である。
【図５】図４に示した樹脂パネルの取付構造において、樹脂パネルが膨張する場合の反りの発生について示した要部拡大断面図である。
【符号の説明】
【００２８】
１    フレーム
２    受け部
２ａ    対向面部
３    樹脂パネル
４    第１の支持部
４ａ    突出端部
５    第２の支持部
５ａ    折れ曲がり突出部
６    開口
７    パッキン
８    誘導部
８ａ    傾斜面
【図１】
0004645459.tif 000002
【図２】
0004645459.tif 000003
【図３】
0004645459.tif 000004
【図４】
0004645459.tif 000005
【図５】
0004645459.tif 000006